(57)【特許請求の範囲】
【請求項１】
座面と、
当該座面に対して回動して折り畳み可能に連結される背もたれ面と、
当該背もたれ面の少なくとも両サイドに配置される背もたれ面フレームと、
当該背もたれ面フレームから当該背もたれ面後方側の床面に向かって配置される支えフレームと、を備え、
当該支えフレームの下端と前記座面とが、フレームのような硬い部材によって連結されておらず、
更に、使用時において、当該支えフレームの下端は他のフレームのような硬い部材と連結されず、
前記座面及び前記背もたれ面は布乃至網といった柔軟性のある素材で構成されると共に、前記座面にはフレームが配置されず、
前記背もたれ面には両サイドにのみフレームが配置され、且つ、前記支えフレームが着脱可能に構成されると共に、
前記支えフレームにおける前記背もたれ面フレームとの結合部分同士の自由状態での間隔をＸ、前記背もたれ面フレームに備わる前記支えフレームとのジョイント部分同士の間隔をＹとするとき、
ＹよりもＸが大きくなるように構成される
ことを特徴とする折り畳み椅子。
【発明の詳細な説明】
【技術分野】
【０００１】
本発明は、折り畳み椅子に関し、特に詳しくは、座面を床に直置き使用するタイプの折り畳み椅子に関する。
【背景技術】
【０００２】
従来から、座面を床面等に直置きし使用するタイプの折り畳み椅子は公知である。
【０００３】
例えば特許文献1に開示される折り畳み椅子は、座面両サイドに前後方向に走る座面フレームの途中位置から、背もたれ面両サイドを支持する背もたれ面フレームが回動可能に支持されている。更に、座面フレームを座面より後方にまで延在させると共に、当該座面フレームの後端部（延在端部）と背もたれ面フレームの上端部とをクロス配置された支えフレームによって連結することにより、背もたれ面が後方に倒れることなく支持できると共に折り畳みを可能としているものである。
【先行技術文献】
【特許文献】
【０００４】
【特許文献１】意匠登録第１３９３６７１号公報
【発明の概要】
【発明が解決しようとする課題】
【０００５】
しかしながら、特許文献１に記載の折り畳み椅子では、使用者が背もたれ面に寄りかかると（体重をかけると）、座面の一部乃至は全体が浮き上がってしまい、安定した着座姿勢が保てない（場合によっては後方に転倒してしまう）という問題があった。
【０００６】
そこで本発明は、こういった問題点を解決するべくなされたものであって、座面を床に直置き使用するタイプの折り畳み椅子において、安定した着座を可能とする事をその課題としている。
【課題を解決するための手段】
【０００７】
上記課題を解決するべく、本願発明は、座面と、当該座面に対して回動して折り畳み可能に連結される背もたれ面と、当該背もたれ面の少なくとも両サイドに配置される背もたれ面フレームと、当該背もたれ面フレームから当該背もたれ面後方側の床面に向かって配置される支えフレームと、を備え、当該支えフレームの下端（先端）と前記座面とが、フレームのような硬い部材によって連結されていないことを特徴とする。
【０００８】
このような構成を採用したことによって、座面を床に直置き使用するタイプの折り畳み椅子において、安定した着座が可能となっている。即ち、使用者が背もたれ面に寄りかかっても（体重をかけても）、座面の一部乃至は全体が浮き上がってしまうような事がない。
【０００９】
発明者は、従来の座面を床に直置き使用するタイプの折り畳み椅子において、背もたれ面に寄りかかった際に座面が浮き上がり、場合によって後方に転倒してしまいそうになるのは、支えフレームの下端（先端）と座面とが「フレームのような硬い部材」で連結されているという構成が原因であると考えた。即ち、寄りかかる力によって支えフレームの下端（先端）位置を「支点」として椅子全体が後方に回転しようとするモーメントが発生するが、支えフレームの下端（先端）と座面とがフレームのような硬い部材で連結されていると、この部材を伝わって座面を浮かせる方向の力が作用するため、この力の発生が着座の不安定さを増していると考えたのである。そこで発明者は、支えフレームの下端（先端）と座面とを、「フレームのような硬い部材によって連結しない」という構成を採用することでこの問題点を解決したのである。その結果、背もたれ面に寄りかかっても、座面が浮き上がろうとする力が発生することがないので、安定した着座が可能となっているのである。
【００１０】
また、前記座面を布乃至網といった柔軟性のある素材で構成すると共に、前記座面にはフレームを配置しないことが望ましい。
【００１１】
このような構成を採用すれば、着座の際にフレームが尻等に当たることがなく、不快な痛みの発生を根本的に防止することができる。
【００１２】
また、前記背もたれ面も布乃至網といった柔軟性のある素材で構成すると共に、前記背もたれ面には両サイドに「のみ」フレームを配置し、且つ、前記支えフレームを着脱可能に構成すると共に、前記支えフレームにおける前記背もたれ面フレームとの結合部分同士の自由状態での間隔をＸ、前記背もたれ面フレームに備わる前記支えフレームとのジョイント部分同士の間隔をＹとするとき、ＹよりもＸが大きくなるように構成することが望ましい。
【００１３】
このように構成すれば、座面と背もたれ面とを重ね合わせるように折り畳んだ状態で、巻回してコンパクトに収納することが可能となる。更に、支えフレームを取り付ける際に、支えフレームを幅狭方向に撓ませた状態で取り付けることとなるため、支えフレームを取り付けるのみで背もたれ面が張り、座り心地が向上する。
【００１４】
また、前記支えフレーム自体を折り畳み可能に構成すると共に、折り畳んだ状態の長さが前記背もたれ面の長さ以下となるように構成することが望ましい。
【００１５】
このように構成すれば、椅子全体を巻回収納する際に、折り畳んだ支えフレームを内側に入れた状態で巻回すれば、硬いフレームが外部に露出しない状態で巻回収納することが可能となる。
【発明の効果】
【００１６】
本発明を適用することで、座面を床に直置き使用するタイプの折り畳み椅子であっても安定した着座が可能となる。
【図面の簡単な説明】
【００１７】
【図１】本発明の実施形態の一例である折り畳み椅子の正面側斜視図である。
【図２】本発明の実施形態の一例である折り畳み椅子の背面側斜視図である。
【図３】フレーム構成のみを示した斜視図である。
【図４】支えフレームを折り畳む途中の状態を示した図である。
【図５】自由状態の支えフレームと取り付けた状態の支えフレームの形状の変化を示した図である。
【図６】支えフレームを折り畳んだ状態を示した図である。
【図７】座面と背もたれ面を折り畳み、且つ、その上に折り畳んだ支えフレームを載置した状態を示した図である。
【図８】折り畳み椅子全体を巻回した状態を示した図である。
【図９】使用状態の一例を示した図である。
【発明を実施するための形態】
【００１８】
以下、添付図面を参照しつつ、本発明の実施形態の一例であるに折り畳み椅子１００ついて説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１９】
〈折り畳み椅子の構成〉
図１〜図３に示しているように、本発明の実施形態の一例として示す折り畳み椅子１００は、座面１０２と、この座面１０２に対して回動して折り畳み可能に連結される背もたれ面１０４と、背もたれ面１０４の少なくとも両サイドに配置される背もたれ面フレーム１１０と、背もたれ面フレーム１１０から背もたれ面１０４の後方側の床面に向かって配置される支えフレーム１２０と、を備える。
【００２０】
座面１０２は、本実施形態においては「布」で構成されており、内部に所定の厚みに形成されたクッション材が封入されている。また、この座面１０２にはフレームのような硬い部材が一切使用されていない。
【００２１】
背もたれ面１０４も、本実施形態においては、座面から連続する「布」で構成される。背もたれ面１０４の両サイドは、それぞれ袋状に構成されたフレーム収納部１０８を有しており、当該フレーム収納部１０８の中に背もたれ面フレーム１１０が収納配置されている。
【００２２】
座面１０２と背もたれ面１０４の連結部分１０６は、座面１０２のようにクッション材が封入されておらず、且つ、背もたれ面１０４のように両サイドにフレームが配置されていないため、ちょうどこの部分を中心に回動するように折り畳む事が可能である。
【００２３】
フレーム収納部１０８は一部が切り欠かれた切欠部１０９を有しており、背もたれ面フレーム１１０の途中には、ちょうどこの切欠部１０９の位置に、第１のジョイント部材１１２が取り付けられている。
【００２４】
背もたれ面１０４の後方には、第１のジョイント部材１１２を介して支えフレーム１２０が取り付けられる。この支えフレーム１２０は、第１のジョイント部材１１２に対して差し込むことで取り付け固定され、引き抜くことで取り外すことが可能とされている。即ち着脱自在とされている。
【００２５】
本実施形態における支えフレーム１２０は、ベースポール１２２と、このベースポールの両端に取り付けられた第２のジョイント部材１２４と、当該第２のジョイント部材１２４に差し込まれる２本の支えポール１２６で構成される。
【００２６】
支えフレーム１２０における２本の支えポール１２６は、それぞれ、第２のジョイント部材１２４から引き抜く事が可能であるが、支えポール１２６と第２のジョイント部材１２４とは例えばゴムのような伸縮部材１２５によって連結されているため、引き抜いたとしても各部材がバラバラになってしまうことはない。
【００２７】
なお、支えフレーム１２０における背もたれ面フレーム１１０との結合部分（支えポール１２６の上端部）同士の自由状態での間隔をＸ、背もたれ面フレーム１１０に備わる支えフレーム１２０とのジョイント部分（第１のジョイント１１２）同士の間隔をＹとするとき、ＹよりもＸが大きくなるように構成されている。
【００２８】
また、２本の支えポール１２６をそれぞれ引き抜いた状態で図６のように折り畳む事が可能であり、この折り畳んだ状態の長さＬ１が、背もたれ面１０４の長さＬ２以下となるように構成される（図７参照）。
【００２９】
〈折り畳み椅子の使い方（作用・機能）〉
折り畳み椅子１００の使い方は非常にシンプル且つ簡単である。支えフレーム１２０を組み立て、更に、背もたれ面フレーム１１０に備わる第１のジョイント部材１１２に差し込み固定した状態で、座面１０２から背もたれ面１０４を引き起こして床面等に載置する。この作業のみで設置が完了する。収納する場合は逆の手順となる。
【００３０】
上記でも説明した通り、本願発明の実施形態と一例として示した折り畳み椅子１００は、座面１０２と、この座面１０２に対して回動するように折り畳み可能に連結される背もたれ面１０４と、当該背もたれ面１０４の少なくとも両サイドに配置される背もたれ面フレーム１１０と、当該背もたれ面フレーム１１０から当該背もたれ面１０４後方側の床面に向かって配置される支えフレーム１２０と、を備え、当該支えフレーム１２０の下端（先端）と座面１０２とが、フレームのような硬い部材によって連結されていないという構成を採用していた。
【００３１】
これにより、使用者が背もたれ面１０４に寄りかかっても（体重をかけても）、座面１０２の一部乃至は全体が浮き上がってしまうような事がなく、着座の安定性を確保している。
【００３２】
また、座面１０２が「布」で構成されると共に、座面１０２にはフレームが配置されていない。
【００３３】
これにより、座面１０２に着座した際にフレームが尻等に当たることがなく、不快な痛みの発生を根本的に防止している。
【００３４】
また、背もたれ面１０４も「布」で構成されると共に、背もたれ面１０４には両サイドに「のみ」フレームが配置され、且つ、支えフレーム１２０が着脱可能に構成されると共に、支えフレーム１２０における背もたれ面フレーム１１０との結合部分（支えポール１２６の上端部）同士の自由状態での間隔をＸ、背もたれ面フレーム１１０に備わる前記支えフレーム１２０とのジョイント部分（第１のジョイント１１２）同士の間隔をＹとするとき、ＹよりもＸが大きくなるように構成されていた。
【００３５】
これにより、座面１０２と背もたれ面１０４とを重ね合わせるように折り畳んだ状態で、巻回してコンパクトに収納することが可能となっている。更に、支えフレーム１２０を取り付ける際に、支えフレーム１２０を幅狭方向に撓ませた状態で取り付けることとなるため、支えフレーム１２０を取り付けるのみで背もたれ面が張り、座り心地が向上する。
【００３６】
更に、支えフレーム１２０自体も折り畳み可能に構成される共に、折り畳んだ状態の長さＬ１が背もたれ面１０４の長さＬ２以下となるように構成されていた（図７参照）。
【００３７】
これにより、図８に示したように、椅子全体を巻回収納する際に、折り畳んだ支えフレーム１２０を内側に入れた状態で巻回すれば、硬いフレームが外部に露出しない状態で巻回収納することが可能となる。
【００３８】
〈その他の構成例〉
また、上記では、座面１０２及び背もたれ面１０４が「布」で構成されていたが、椅子としての強度と柔軟性を有する素材である限りにおいて、種々のものを選択可能である。例えば網（ネット）のような材料で構成してもよい。
【符号の説明】
【００３９】
１００・・・折り畳み椅子
１０２・・・座面
１０４・・・背もたれ面
１０６・・・連結部
１０８・・・フレーム収納部
１０９・・・切欠部
１１０・・・背もたれ面フレーム
１１２・・・第１のジョイント部材
１２０・・・支えフレーム
１２２・・・ベースポール
１２４・・・第２のジョイント部材
１２５・・・伸縮部材
１２６・・・支えポール
【図１】
0006884424.tif 000002
【図２】
0006884424.tif 000003
【図３】
0006884424.tif 000004
【図４】
0006884424.tif 000005
【図５】
0006884424.tif 000006
【図６】
0006884424.tif 000007
【図７】
0006884424.tif 000008
【図８】
0006884424.tif 000009
【図９】
0006884424.tif 000010